(57)【要約】      （修正有）【課題】衝撃吸収用のバンパーを装着する四足動物の各部のサイズを容易かつ正確に測り、サイズに合うバンパーを用意するための四足動物のバンパー用採寸具を提供する。【解決手段】四足動物の首の上に当てる、前部フレーム１と後部フレーム２とから成る本体フレーム４を設け、前部フレーム及び後部フレームの各両側に四足動物の首部の外側に当てる垂下フレーム５を摺動、固定自在に夫々設け、両側の各垂下フレームから四足動物の首部の上に当てる突出腕６を夫々摺動、固定自在に設け、前部フレーム１の両側の垂下フレームの下端部から、四足動物の顔又は頭部の脇に突出する湾曲片８を設け、当該両側の垂下フレームの下端部から夫々、四足動物の首下に巻く前方ベルト９を設け、後部フレーム２の各垂下フレームの下端部から後方に向けて後方水平フレーム１１を設け、当該後方水平フレームに摺動、固定自在な、四足動物の胴部に巻き回す後方ベルト１２を設けた。【選択図】図１
0003214286.tif 000002
【実用新案登録請求の範囲】
【請求項１】
四足動物の首の上に当てる、前部フレームと後部フレームとを中央部で繋いだ本体フレームを設け、
前部フレーム及び後部フレームの各両側に四足動物の首部の外側面に当てる垂下フレームを、前部フレーム又は後部フレームに沿って摺動、固定自在に夫々設け、
当該両側の各垂下フレームから前記前部フレーム又は後部フレームの下方に夫々向けて水平に突出させた、四足動物の首部又は背中の上に当てる突出腕を夫々各垂下フレームに沿って摺動、固定自在に設け、
前記前部フレームの両側の垂下フレームの下部から、四足動物の顔又は頭部の周囲の全部又は一部を囲む輪状のバンパー片又は湾曲突片を設け、且つ当該両側の垂下フレームの下部から夫々四足動物の首下に巻く前方ベルトを設け、これらの前方ベルトを接続自在とし、
前記後部フレームの各垂下片の下部から後方に向けて後方水平フレームを設け、両側の後方水平フレームに沿って摺動、固定自在な、四足動物の前足の後ろの胴部に巻き回す後方ベルトの両側を前記両側の後方水平フレームに支持させ、
当該後方ベルトは各後方水平フレームの下方で二分され、分けられた端部を接続自在としたことを特徴とする、四足動物のバンパー用採寸具。
【請求項２】
前記後方ベルトに長さ調整用のカムバックルを設けたことを特徴とする、請求項１に記載の四足動物のバンパー用採寸具。
【請求項３】
前記垂下フレーム、突出腕及び後方ベルトの摺動、固定自在な構成は、前部フレーム及び後部フレーム、垂下フレーム、水平フレームに夫々長孔を設け、
前記垂下フレーム、突出腕及び後方ベルトから突出させた突出軸を前記各長孔に通し、突出軸の先端部に設けたねじ部に雌ねじを螺着し、
当該雌ねじを緩めると前記垂下フレーム、突出腕及び後方ベルトが摺動自在となり、当該雌ねじを締め付けると固定する構成であることを特徴とする、請求項１又は２に記載の四足動物のバンパー用採寸具。
【考案の詳細な説明】
【技術分野】
【０００１】
この考案は、視力の弱った四足動物、例えば、犬、猫の頭部を保護するため、四足動物に装着して顔又は頭部から前方に突き出し、四足動物が障害物に当たった際の衝撃を吸収する緩衝用のバンパーの大きさを測る採寸具に関するものである。
【背景技術】
【０００２】
犬の白内障、緑内障、進行性網膜委縮症などの眼病は、犬の疾患の中でも４位を占めるほど多い。言葉で症状を伝えられず、元来近視で情報受信を臭覚に頼っている犬なので、飼い主が愛犬の目の異常に気付かず、発見が遅れてしまい愛犬が失明に至ってしまうケースが多い。
【０００３】
犬の視力が弱まったり、犬が視力を失ってしまうと犬が動いた際、犬の顔の高さにある家具や荷物等の障害物に犬がぶつかり、犬の体、特に頭部を傷つけてしまうおそれがある。従って、この様な犬は次第に散歩や遊びで動くことが減ってしまい、体力や筋力の低下を招く。また、ストレスも蓄積される。
【０００４】
そこで、特許文献１に示す様な、失明した犬の杖が開発された。これは、犬の首輪に、塩化ビニール製の杖をビスで固定して、犬の顔の先に杖を突出させ、これにより顔や頭が家具や壁にぶつかる前に杖がこれらに当たり、犬に痛い思いをさせず、なおかつ杖によりある程度の所在の感覚を覚えさせ、水も飲め、散歩も怖がらず積極的な生活ができようにすることを目的としている。
【０００５】
しかしながら、前記特許文献１のものは、犬の首輪に一端を固定した塩化ビニール製の杖を顔の前方に突出させただけであり、顔の側面が直接壁等にぶつかる
恐れがある。また、杖が合成樹脂製のため折れたりして犬の顔や頭が壁等の障害物にぶつかる恐れがある。
【０００６】
そこで、犬に限らず、四足動物の顔又は頭部の周囲にわたって輪状のバンパー片を突出させ、壁等の障害物に当該バンパー片が当たった際に、輪の円形が変形することによって衝撃を吸収し、四足動物の顔や頭部を確実に保護できる四足動物用バンパーが開発された。
【０００７】
この四足動物用バンパーは、図５及び図６に示す様に、四足動物、例えば犬Ｂの体の両側で、首から胴部方向にかけて装着する２本の本体フレーム３１、３１を設け、当該両側の本体フレーム３１、３１の前部に、犬Ｂの首上部に掛ける略逆Ｕ字型の首部フレーム３２を立設し、当該首部フレーム３２の位置の前記各本体フレーム３１から、当該両側の本体フレーム３１、３１を、たるみを設けて繋ぐ前方ベルト３３を設け、前記犬Ｂの顔の両側に位置する前記両側の本体フレーム３１、３１の先端から前記犬Ｂの顔又は頭の前方を囲むように輪状の弾性変形可能な材質から成るバンパー片３４を突出させ、前記本体フレーム３１の先端に当該バンパー片３４の両端部を固定し、犬Ｂの前足の後ろに位置する前記両側の本体フレーム３１、３１の後部に前記犬Ｂの胴体に巻き回す後方ベルト３５を設けたものである。
【０００８】
上記図５及び図６の四足動物用バンパーによれば、目の不自由な四足動物、例えば犬に、当該四足動物用バンパーを装着してあげれば、輪状のバンパー片３４が四足動物の顔の前方、側面を囲むため、犬は自由に歩きまわって、当該犬の頭や顔が壁や障害物に当たる前に当該バンパー片がこれらの障害物に当たり、その際の衝撃をバンパー片が変形してこれを吸収乃至和らげ、犬に大きな衝撃を与えない。従って、犬は安心して散歩や家の中で走り回ることが出来る。これは犬に限らず、四足の動物であれば同様の効果を奏する。
【先行技術文献】
【特許文献】
【０００９】
【特許文献１】実用新案登録第３０９０４８２号公報
【考案の開示】
【考案が解決しようとする課題】
【００１０】
しかしながら、前記四足動物用バンパーは四足動物の体に合ったサイズのものでないと、使用できない。顔や頭部の前方を囲む輪状のパンパー片３４が、常に四足動物の顔や頭部の前方に位置していなければ、四足動物の顔や頭部を障害物の衝突による衝撃から護ることが出来ない。
【００１１】
そこで、装着する四足動物の体に合ったサイズの四足動物用バンパーを作るには、当該四足動物の大きさを測らなければならない。しかし、四足動物のどこを測れば良いか簡単には分からない。また、始終動き回る犬等の四足動物の大きさを直に測るのは熟練を要し、素人では正確に測れないことが多い。
【００１２】
そこで、この考案はこの様な四足動物の衝撃吸収用のバンパーを装着する四足動物の各部のサイズを容易かつ正確に測り、四足動物の大きさに合ったバンパーを用意するための採寸具を提供することを目的としたものである。
【課題を解決するための手段】
【００１３】
請求項１の考案は、四足動物の首部の上に当てる、前部フレームと後部フレームとを中央部で繋いだ本体フレームを設け、前部フレーム及び後部フレームの各両側に四足動物の首部の外側面に当てる垂下フレームを、前部フレーム又は後部フレームに沿って摺動、固定自在に夫々設け、当該両側の各垂下フレームから前記前部フレーム又は後部フレームの下方に夫々向けて水平に突出させた、四足動物の首部又は背中の上に当てる突出腕を夫々各垂下フレームに沿って摺動、固定自在に設け、前記前部フレームの両側の垂下フレームの下部から、四足動物の顔又は頭部の周囲を囲む輪状のバンパー片又は湾曲突片を設け、且つ当該両側の垂下フレームの下部から夫々四足動物の首下に巻く前方ベルトを設け、これらの前方ベルトを接続自在とし、前記後部フレームの各垂下片の下部から後方に向けて後方水平フレームを設け、両側の後方水平フレームに沿って摺動、固定自在な、四足動物の前足の後ろの胴部に巻き回す後方ベルトの両側を前記両側の後方水平フレームに支持させ、当該後方ベルトは各後方水平フレームの下方で二分され、分けられた端部を接続自在とした、四足動物のバンパー用採寸具とした。
【００１４】
また、請求項２の考案は、前記後方ベルトに長さ調整用のカムバックルを設けた、請求項１に記載の四足動物のバンパー用採寸具とした。
【００１５】
また、請求項３の考案は、前記垂下フレーム、突出腕及び後方ベルトの摺動、固定自在な構成は、前部フレーム及び後部フレーム、垂下フレーム、水平フレームに夫々長孔を設け、前記垂下フレーム、突出腕及び後方ベルトから突出させた突出軸を前記各長孔に通し、突出軸の先端部に設けたねじ部に雌ねじを螺着し、当該雌ねじを緩めると前記垂下フレーム、突出腕及び後方ベルトが摺動自在となり、当該雌ねじを締め付けると固定する構成である、請求項１又は２に記載の四足動物のバンパー用採寸具とした。
【考案の効果】
【００１６】
請求項１の考案によれば、当該採寸具を、本体フレームが犬等の四足動物の首部の上になるように四足動物の上から被せ、当該四足動物の大きさに合わせて、前部フレーム及び後部フレームの各垂下フレームの位置を調整し、また、上記バンパー片又は湾曲突片が四足動物の顔又は頭部の前方又は両側に来るように、前部フレーム及び後部フレームの下方の、四足動物の首部の上に当てる各突出腕の各垂下フレームに対する位置を調整する。
【００１７】
また、後方ベルトの位置が四足動物の前足の後方の胴体に位置するように、水平フレームに対する後方ベルトの位置を調整する。これらの調整後、前方ベルト及び後方ベルトを締め、この状態で上記バンパー片又は湾曲突片が四足動物の顔又は頭部の前方又は両側に来るように各部の四足動物に対する位置を微調整し、前記各垂下フレーム、突出腕、後部ベルトの位置の固定を確認し、前方ベルト及び後方ベルトを外し、四足動物から当該採寸具を取り外す。
【００１８】
この取り外した採寸具の各部の位置で、夫々の長さを測れば、前記バンパーを装着する四足動物の体型に合ったバンパーの各部のサイズを容易にかる正確に採寸することができる。
【００１９】
また、請求項２の考案によれば、後方ベルトの長さ調整がカムバックルで極めて容易にでき、始終動き回る四足動物の採寸がより容易になる。
【００２０】
また、請求項３の考案によれば、位置の移動ができる前部フレーム及び後部フレームの垂下フレーム、各垂下フレームの突出腕及び後方バンドの摺動、固定が雌ねじの締付け又は緩めにより極めて容易にでき、始終動き回る四足動物の採寸がより容易になる。
【図面の簡単な説明】
【００２１】
【図１】この考案の実施の形態例１の四足動物用バンパー採寸具Ａの前方から見た斜視図である。
【図２】この考案の実施の形態例１の四足動物用バンパー採寸具Ａの平面図である。
【図３】この考案の実施の形態例１の四足動物用バンパー採寸具Ａの前方側面図である。
【図４】この考案の実施の形態例１の四足動物用バンパー採寸具Ａの側面図である。
【図５】この考案の実施の形態例１の四足動物用バンパー採寸具Ａを用いる四足動物用バンパーの後方から見た斜視図である。
【図６】この考案の実施の形態例１の四足動物用バンパー採寸具Ａを用いる四足動物用バンパーを犬に装着した状態を示す斜視図である。
【考案を実施するための形態】
【００２２】
（実施の形態例１）
この考案の実施の形態例１の四足動物用バンパー採寸具Ａを図１〜４に基づいて説明する。
【００２３】
四足動物の首の上において、四足動物の体の長手方向に対して直角な方向に当てる、前部フレーム１と後部フレーム２とを中央部３で繋いだ本体フレーム４を設けている。後部フレーム２は前部フレーム１より長い幅を有している。また、前部フレーム１及び後部フレーム２の各両側から垂下フレーム５を夫々垂下させている。これらの前部フレーム１の両側の垂下フレーム５、及び後部フレーム２の両側の垂下フレーム５は四足動物の首部の外側面の前後に当てるものである。
【００２４】
そして、これらの各垂下フレーム５は、前部フレーム１又は後部フレーム２に沿って一定幅で摺動、固定自在に夫々設けられている。具体的には前部フレーム１及び後部フレーム２に、これらの長手方向に沿って長孔１ａ、２ａが夫々設けられ、前記各垂下フレーム５の上端の直角に折れ曲がった折り曲げ片５ａの先端上面から第１突出軸５ｂが突出し、当該第１突出軸５ｂは前記長孔１ａ又は２ａを貫通し、各第１突出軸５ｂの先端に固定されたフランジ５ｃで支持されている。これにより各垂下片５は前記長孔１ａ又は２ａの幅だけ摺動自在となっている。
【００２５】
また、前記各折り曲げ片５ａの第１突出軸５ｂと並んで、第２突出軸（図示省略）が突出され、当該各第２突出軸は前記長孔１ａ又は２ａを貫通し、その先端部のネジ部につまみ付蝶ナット５ｄが螺着されている。当該各つまみ付蝶ナット５ｄを締め付けると各垂下フレーム５は前部フレーム１又は後部フレーム２に対して固定される。
【００２６】
前記両側の各垂下フレーム５から前記前部フレーム１又は後部フレーム２の下方に夫々向けて水平に突出させた、四足動物の首部又は背中の上に当てる突出腕６を夫々各垂下フレーム５の長手方向に沿って一定幅摺動、固定自在に設けられている。この各突出腕６の各垂下フレーム５に対する摺動、固定自在な構成は、前記前部フレーム１又は後部フレーム２に対する垂下フレーム５の摺動自在な構成と同じである。即ち各垂下フレーム５には長孔７を設け、各突出腕６には折り曲げ片６ａ、第１突出軸６ｂ、フランジ６ｃ、第２突出軸（図示省略）及びつまみ付蝶ナット６ｄが設けられている。
【００２７】
また、前記前部フレーム１の両側の垂下フレーム５、５の下端部から、四足動物の顔又は頭部の周囲を囲む輪状のバンパー片の一部を成す湾曲突片８、８が設けられている。この実施の形態例１では湾曲突片８、８としたが、四足動物の顔又は頭部の前方及び両側を囲む輪状のバンパー片を設け、当該バンパー片の両端を前記各垂下フレーム５の下端部に固定してもよい。また、当該両側の垂下フレーム５，５の下端部から夫々、四足動物の首下に巻く前方ベルト９が設けられている。これらの前方ベルト９はＤカン１０により接続自在となっている。
【００２８】
また、前記後部フレーム２の両側の各垂下片５、５の下端部から後方に向けて後方水平フレーム１１、１１が夫々設けられている。そして、四足動物の前足の後ろの胴部に巻き回す後方ベルト１２が前記後方水平フレーム１１、１１に設けられている。当該後方ベルト１２は、その両側を、両側の後方水平フレーム１１、１１に夫々支持させ、当該両側の後方水平フレーム１１、１１に沿って摺動、固定自在となっている。また、当該後方ベルト１２は各後方水平フレーム１１、１１の下方で二分され、二分された一方にはＤカン１３が設けられ、これらの後方ベルト１２は接続自在となっている。
【００２９】
また、前記各後方水平フレーム１１、１１の上方の後方ベルト１２には、カムバックル１４、１４が設けられ、当該後方ベルト１２の長さを容易に調整できる構成となっている。
【００３０】
また、前記後方ベルト１２の各後方水平フレーム１１、１１に対する摺動、固定自在な構成は、前記前部フレーム１又は後部フレーム２に対する垂下フレーム５の摺動自在な構成と同じである。即ち各後方水平フレーム１１には長孔１１ａが設けられ、前記後方ベルト１２の、各後方水平フレーム１１に対応する箇所に台座１５、１５を夫々設け、当該各台座１５から第１突出軸１５ａ、フランジ１５ｂ、第２突出軸（図示省略）、つまみ付蝶ナット１５ｃが夫々設けられている。
【００３１】
次にこの四足動物用バンパー採寸具Ａの使用方法を説明する。
当該四足動物用バンパー採寸具Ａを、本体フレーム４が犬等の四足動物の首部の上になるように、四足動物の上から被せ、当該四足動物の大きさに合わせて、前部フレーム１及び後部フレーム２の各垂下フレーム５のつまみ付蝶ナット５ｄを緩めて長孔１ａ又は２ａ内で動かして調整し、四足動物の首部の両側外面に当たる位置で再度各つまみ付蝶ナット５ｄを締め付ける。
【００３２】
また、上記湾曲突片８、８（又はバンパー片）が、四足動物の顔又は頭部の両側又は前方に来るように、前部フレーム１及び後部フレーム２の下方の、四足動物の首部又は背中の上に当てる各突出腕６の各垂下フレーム５に対する位置を調整する。具体的にはつまみ付蝶ナット６ｄを緩めて、各突出腕６を長孔７の中で移動させて位置が決まったら当該箇所でつまみ付蝶ナット６ｄを締め付け、各突出腕６を固定する。
【００３３】
また、後方ベルトの位置が四足動物の前足の後方の胴体に位置するように、水平フレームに対する後方ベルトの位置を調整する。具体的にはつまみ付蝶ナット１５ｃを緩めて、各台座１５を各後方水平フレーム１１の長孔１１ａの中で移動させて位置が決まったら当該箇所でつまみ付蝶ナット１５ｃを締め付け、後方ベルト１２を固定する。
【００３４】
これらの調整後、前方ベルト９及び後方ベルト１２のＤカン１０及び１３により締め、この状態で前記湾曲突片８（又はバンパー片）が四足動物の顔又は頭部の両側又は前方に位置するように各部材の四足動物に対する位置を微調整し、前記各垂下フレーム５、各突出腕６、後方ベルト１２の位置の固定を確認し、前方ベルト９及び後方ベルト１２を外し、四足動物から当該採寸具Ａを取り外す。
【００３５】
この取り外した四足動物用バンパー採寸具Ａの前記前部フレーム１及び後部フレーム２の相応する各両側の垂下フレーム５の間の長さ、及び各突出腕６と湾曲突片８との間の長さにより図５の首部フレーム３２の大きさを決めることが出来る。また、前記前部フレーム１の垂下フレーム５と後方ベルト１２の間の長さにより図５の本体フレーム３１の長さを決めることが出来る。また、この四足動物用バンパー採寸具Ａを四足動物に掛けた際の、前記湾曲突片８の四足動物の顔又は頭部に対する割合から、図５のバンパー片３４の大きさを推し量ることが出来る。また、前方ベルト９及び後方ベルト１２の長さにより図５の前方ベルト３３及び後方ベルト３５の長さや大きさを決めることが出来る。
【００３６】
この様にして、四足動物用バンパー採寸具Ａの各部の位置で、夫々の長さを測れば、前記バンパーを装着する四足動物の体型に合ったバンパーの各部のサイズを容易に、かつ正確に採寸することができる。
【００３７】
なお、上記実施の形態例１では、垂下フレーム５、突出腕６及び後方ベルト１２の摺動、固定自在な構成において、第１突出軸５ｂ、６ｂ、１５ａと第２突出軸（図示省略）を設けたが、これに代えて、１個の突出軸を長孔に貫通させて、その先端部につまみ付蝶ナットを螺着させる構成を使用してもよい。また、上記つまみ付蝶ナット５ｄ、６ｄ、１５ｃは、これに限らず雌ねじであれば良い。さらに、前記Ｄカン１０、１３についても、Ｄカンに限らず、丸カン、バックル等の接続自在なファスナーであれば良い。
【符号の説明】
【００３８】
Ａ      四足動物用バンパー採寸具    Ｂ      犬
１      前部フレーム                １ａ    長孔                
２      後部フレーム                ２ａ    長孔              
３      中央部                      ４      本体フレーム
５      垂下フレーム                ５ａ    折り曲げ片  
５ｂ    第１突出軸                  ５ｃ    フランジ  
５ｄ    つまみ付蝶ナット            ６      突出腕
６ａ    折り曲げ片                  ６ｂ    第１突出軸
６ｃ    フランジ                    ６ｄ    つまみ付蝶ナット  
７      長孔                        ８      湾曲突片
９      前方ベルト                  １０    Ｄカン
１１    後方水平フレーム            １１ａ  長孔        
１２    後方ベルト                  １３    Ｄカン
１４    カムバックル                １５    台座
１５ａ  第１突出軸                  １５ｂ  フランジ
１５ｃ  つまみ付蝶ナット  
【図１】
0003214286.tif 000003
【図２】
0003214286.tif 000004
【図３】
0003214286.tif 000005
【図４】
0003214286.tif 000006
【図５】
0003214286.tif 000007
【図６】
0003214286.tif 000008